(57)【要約】【課題】被梱包体を梱包箱内で好適に保持できること。【解決手段】梱包箱１０内に収納される被梱包体１１と上記梱包箱との間に介在されて、上記被梱包体を保持する梱包用保持治具１２において、空気を充填して略板状に設けられると共に、被梱包体の側面１１Ａを覆い得るように折り曲げ可能に構成された本体部２０と、この本体部の折り曲げられる内側に設けられ、本体部に覆われた被梱包体の端面１１Ｂを保持し得るストッパ部２１とを有して構成されたものである。【選択図】　　　図６
2004091010.tif 000002
【特許請求の範囲】
【請求項１】
梱包箱内に収納される被梱包体と上記梱包箱との間に介在されて、上記被梱包体を保持する梱包用保持治具において、
気体を充填して略板状に設けられるともに、上記被梱包体を覆い得るように曲げ変形可能に構成された本体部を有することを特徴とする梱包用保持治具。
【請求項２】
上記本体部は、被梱包体を覆い得るように折り曲げ変形可能に構成されたことを特徴とする請求項１に記載の梱包用保持治具。
【請求項３】
上記本体部には、曲げ変形される内側に、当該本体部に覆われた被梱包体の端面を保持し得るストッパ部が設けられたことを特徴とする請求項１または２に記載の梱包用保持治具。
【請求項４】
上記ストッパ部は、上記本体部における曲げ方向に直交する両端側に設けられたことを特徴とする請求項３に記載の梱包用保持治具。
【請求項５】
上記ストッパ部は、本体部に連通して設けられたことを特徴とする請求項３または４に記載の梱包用保持治具。
【請求項６】
上記被梱包体が、使用済みまたは新品のトナーカートリッジであることを特徴とする請求項１乃至５のいずれかに記載の梱包用保持治具。
【発明の詳細な説明】
【０００１】
【発明の属する技術分野】
本発明は、梱包箱と被梱包体との間に介在されて、この被梱包体を保持する梱包用保持治具に関する。
【０００２】
【従来の技術】
梱包箱内で被梱包体を保持する梱包用保持治具には、図９に示すように、被梱包体１０１の両端部に梱包用保持治具１０２Ａ及び１０２Ｂが嵌装され、この状態で被梱包体１０１が梱包箱１００内に収納されるように構成されたものがある。
【０００３】
【発明が解決しようとする課題】
ところが、上述のような梱包用保持治具１０２Ａ及び１０２Ｂは、梱包箱１００内で被梱包体１０１の両端部のみを保持するものであり、被梱包体１０１の側面を保持しないため、梱包箱１００外からの衝撃によって、特に被梱包体１０１の側面が損傷する恐れがあり、被梱包体１０１の保持が必ずしも良好とはいえない。
また、梱包箱１００内で被梱包体１０１を保持するには、必ず上記一対の梱包用保持治具１０２Ａ及び１０２Ｂが必要となるので、これら梱包用保持治具１０２Ａ及び１０２Ｂのうち一方を紛失してしまった場合には、被梱包体１０１を良好に保持できない恐れがある。
更に、被梱包体１０１が複雑な形状の場合には、梱包用保持治具１０２Ａ及び１０２Ｂが異なった形状のものとなる場合が多いので、左右別々の梱包用保持治具が必要となり、梱包用保持治具の部品点数が増大してしまう。
本発明の目的は、上述の事情を考慮してなされたものであり、被梱包体を梱包箱内で好適に保持できる梱包用保持治具を提供することにある。
【０００４】
【課題を解決するための手段】
請求項１に記載の発明は、梱包箱内に収納される被梱包体と上記梱包箱との間に介在されて、上記被梱包体を保持する梱包用保持治具において、気体を充填して略板状に設けられるともに、上記被梱包体を覆い得るように曲げ変形可能に構成された本体部を有することを特徴とするものである。
【０００５】
請求項２に記載の発明は、請求項１に記載の発明において、上記本体部は、被梱包体を覆い得るように折り曲げ変形可能に構成されたことを特徴とするものである。
【０００６】
請求項３に記載の発明は、請求項１または２に記載の発明において、上記本体部には、曲げ変形される内側に、当該本体部に覆われた被梱包体の端面を保持し得るストッパ部が設けられたことを特徴とするものである。
【０００７】
請求項４に記載の発明は、請求項３に記載の発明において、上記ストッパ部は、上記本体部における曲げ方向に直交する両端側に設けられたことを特徴とするものである。
【０００８】
請求項５に記載の発明は、請求項３または４に記載の発明において、上記ストッパ部は、本体部に連通して設けられたことを特徴とするものである。
【０００９】
請求項６に記載の発明は、請求項１乃至５のいずれかに記載の発明において、上記被梱包体が、使用済みまたは新品のトナーカートリッジであることを特徴とするものである。
【００１０】
【発明の実施の形態】
以下、本発明の実施の形態を、図面に基づき説明する。
図１は、本発明に係る梱包用保持治具の一実施の形態における空気を充填した展開状態を示す平面図である。図３は、図１の梱包用保持治具において空気を充填する前の展開状態を示す平面図である。図５は図１の梱包用保持具の折り曲げ状態を示す斜視図である。図６は、図１の梱包用保持治具が折り曲げられて被梱包体を保持した状態を示す斜視図である。図７は、被梱包体を保持した梱包用保持具が梱包箱内に収納された状態を、一部を切り欠いて示す斜視図である。
【００１１】
図５〜図７に示すように、梱包箱１０内に収納される被梱包体１１は、折り曲げられた梱包用保持治具１２に包持されて、上記梱包箱１０内に収納される。従って、梱包用保持治具１２は、図８に示すように、梱包箱１０と被梱包体１１との間に介在されて、被梱包体１１を梱包箱１０内で位置ずれしないように保持すると共に、この被梱包体１１を梱包箱１０外からの衝撃に対し緩衝する。
ここで、上記被梱包体１１は、使用済みまたは新品のトナーカートリッジあるいはドラムカートリッジや瓶、電子機器などである。また、上記梱包箱１０は、被梱包体１１を梱包した状態で直方体または立方体形状に構成され、内部に、梱包用保持治具１２に保持された被梱包体１１を収納可能な収納空間１３が形成される。
【００１２】
ところで、上記梱包用保持治具１２は、図１〜図４に示すように、長方形状または正方形状の表側シート１４と、この表側シート１４と同一形状の裏側シート１５とのそれぞれの外周縁部をヒートシールなどにより熱接合して外周接合部１６を形成し、次に、この外周接合部１６が形成された表側シート１４及び裏側シート１５を外周接合部１６に平行して、ヒートシールなどにより縦横に熱接合して縦接合部１７及び横接合部１８を形成し、これらの外周接合部１６、縦接合部１７及び横接合部１８に囲まれて多数の袋部１９を設け、その後、表側シート１４及び裏側シート１５の互いに対向する左右両側を、袋部１９のひとつ分だけ例えば表側シート１４側に折り重ねて、外周接合部１６及び横接合部１８と一致するように上述と同様に熱接合してストッパ部２１を本体部２０に一体化させ、そして、袋部１９内に、気体としての空気を充填することにより構成されたものであり、本体部２０及びストッパ部２１を有する。
【００１３】
ストッパ部２１は、表側シート１４及び裏側シート１５の互いに対向する左右両端側において、例えば表側シート１４側に折り重ねられた部分に形成された複数の袋部１９により構成される。また、本体部２０は、上記ストッパ部２１を構成する袋部１９以外の多数の袋部１９によって略板状に構成される。
また、外周接合部１６は連続して形成されているのに対し、縦接合部１７及び横接合部１８は連続せず、適宜間隔をおいて形成されている。このため、本体部２０及びストッパ部２１を構成する多数の袋部１９は、縦接合部１７及び横接合部１８の上記間隔により形成された通気部２２によって連通されることになる。従って、本体部２０とストッパ部２５とは上記通気部２２により連通される。
【００１４】
外周接合部１６に接する一つの袋部１９には、給排気口２３が連通して配設される。この給排気口２３から当該袋部１９に空気が供給されることによって、本体部２０及びストッパ部２１を構成する、連通された全ての袋部１９に空気が供給され充填される。このように、全ての袋部１９に空気が充填された状態で、本体部２０は略板形状に構成され、ストッパ部２１は略棒状に構成される。
【００１５】
また、全ての袋部１９に空気が充填された状態で、本体部２０及びストッパ部２１は横接合部１８を境に、図５及び図６に示すように折り曲げ可能に構成され、さらに本体部２０は、縦接合部１７を境に折り曲げ可能に構成される。本体部２０が横接合部１８を境に折り曲げられることによって、被梱包体１１の側面１１Ａが覆われて保持される。
【００１６】
また、ストッパ部２１は本体部２０の左右両端側、つまり、この本体部２０における横接合部１８を境とした折り曲げ方向に直交する両端側で、この折り曲げられる本体部２０の内側に配置されている。従って、このストッパ部２１によって、本体部２０によりその側面１１Ａが覆われた被梱包体１１の両端面１１Ｂが、ストッパ部２１に接触または非接触状態で保持される。
【００１７】
上述のように構成されたことから、上記実施の形態によれば、次の効果▲１▼〜▲５▼を奏する。
▲１▼梱包用保持治具１２の本体部２０が、この本体部２０を構成する多数の袋部１９に空気が充填されて略板状に設けられ、且つ被梱包体１１の側面１１Ａを覆い得るように、横接合部１８を境に折り曲げ可能に構成されたことから、この梱包用保持治具１２の本体部２０により被梱包体１１の側面１１Ａを覆った状態で、被梱包体１１を梱包箱１０内に収納することによって、図８（Ａ）及び図８（Ｂ）に示すように、被梱包用保持治具１２の本体部２０は、被梱包体１１の側面１１Ａと梱包箱１０とに接触して、これらの間に介在される。この結果、梱包用保持治具１２の本体部２０によって被梱包体１１の側面１２Ａを梱包箱１０内で良好に保持でき、しかも、本体部２０を構成する袋部１９内の空気によって、外部からの衝撃を吸収し良好に緩衝できる。
【００１８】
▲２▼梱包用保持治具１２の本体部２０が縦接合部１７を境に折り曲げ可能に構成されたので、この本体部２０が横接合部１８を境に折り曲げられて被梱包体１１の側面１１Ａを覆ったときに、この側面１１Ａが複雑な凹凸形状を有していても、本体部２０は、側面１１Ａの複雑な形状に対応して変形できる。この結果、被梱包体１１の側面１１Ａを一層良好に保持できると共に、形状の異なる被梱包体１１に対しても、同一の梱包用保持治具１２を用いることで対処できる。
【００１９】
▲３▼被梱包用保持治具１２の本体部２０が横接合部１８を境に折り曲げられて、被梱包体１１の側面１１を覆い得るよう構成され、この状態で梱包箱１０内に収納されるので、被梱包用保持治具１２の梱包体１１への着脱を迅速に実施できる。
【００２０】
▲４▼梱包用保持治具１２のストッパ部２１は、横接合部１８を境に折り曲げられる本体部２０の内側に膨出して、この折り曲げ方向に直交する本体部２０の左右両端側に形成されたので、折り曲げられた本体部２０が被梱包体１１の側面１１Ａを覆ったときに、図６及び図８（Ａ）に示すように、被梱包体１１の端面１１Ｂに必然的に接触、または被梱包体１１の移動時に接触するよう構成される。従って、この場合も、梱包用保持治具１２のストッパ部２１が梱包箱１０内に収納された被梱包体１１を、この梱包箱１０内で良好に保持できると共に、ストッパ部２１を構成する袋部１９内の空気によって外部からの衝撃を吸収でき、良好な緩衝効果を発揮できる。
【００２１】
▲５▼この梱包用保持治具１２では、本体部２０とストッパ部２１とがヒートシール等の熱接合によって一体に形成されており、分離されていないので、本体部２０とストッパ部２１のいずれか一方を紛失する恐れがない。このため、この梱包用保持治具１２によって、被梱包体１１を梱包箱１０内で常に良好に保持できる。
【００２２】
以上、本発明を上記実施の形態に基づいて説明したが、本発明はこれに限定されるものではない。
例えば、上記実施の形態では、梱包用保持治具１２における本体部２０を構成する袋部１９と、ストッパ部２１を構成する袋部１９とが通気部２２により連結され、本体部２０に設置された給排気口２３から供給された空気が本体部２０及びストッパ部２１の袋部１９内に充填されるものを述べたが、本体部２０とストッパ部２１のそれぞれに給排気口２３を設置してもよい。
また、梱包用保持治具１２のストッパ部２１は、本体部２０の折り曲げ方向に直交する左右両端側に設けられたものを述べたが、被梱包体１１の形状に応じて、本体部２０の上記両端側よりも内側に形成されてもよい。
更に、上記実施の形態では、梱包用保持治具１２における本体部２０が横接合部１８を境に折り曲げ変形可能なものを述べたが、湾曲形状に曲げ変形可能に構成されてもよい。
【００２３】
【発明の効果】
請求項１乃至５に記載の発明に係る梱包用保持治具によれば、被梱包体を梱包箱内で好適に保持できる。
【図面の簡単な説明】
【図１】本発明に係る梱包用保持治具の一実施の形態における空気を充填した展開状態を示す平面図である。
【図２】（Ａ）、（Ｂ）は図１のＩＩＡ‐ＩＩＢ線、ＩＩＢ‐ＩＩＢ線にそれぞれ沿う断面図である。
【図３】図１の梱包用保持治具において空気を充填する前の展開状態を示す平面図である。
【図４】（Ａ）、（Ｂ）は図３のＩＶＡ‐ＩＶＡ線、ＩＶＢ‐ＩＶＢ線にそれぞれ沿う断面図である。
【図５】図１の梱包用保持治具の折り曲げ状態を示す斜視図である。
【図６】図１の梱包用保持治具が折り曲げられて被梱包体を保持した状態を示す斜視図である。
【図７】被梱包体を保持した梱包用保持治具が梱包箱内に収納された状態を、一部を切り欠いて示す斜視図である。
【図８】（Ａ）、（Ｂ）は図７のＶＩＩＩＡ‐ＶＩＩＩＡ線、ＶＩＩＩＢ‐ＶＩＩＩＢ線にそれぞれ沿う断面図である。
【図９】従来の梱包用保持治具を梱包箱及び被梱包体と共に示す斜視図である。
【符号の説明】
１０　梱包箱
１１　被梱包体
１１Ａ　側面
１１Ｂ　端面
１２　梱包用保持治具
１４　表側シート
１５　裏側シート
１９　袋部
２０　本体部
２１　ストッパ部
２２　通気部
【図１】
2004091010.tif 000003
【図２】
2004091010.tif 000004
【図３】
2004091010.tif 000005
【図４】
2004091010.tif 000006
【図５】
2004091010.tif 000007
【図６】
2004091010.tif 000008
【図７】
2004091010.tif 000009
【図８】
2004091010.tif 000010
【図９】
2004091010.tif 000011